(57)【要約】【課題】  ポジション文字の照明とこのポジション文字を有するシフト表示部の照明とを確実に両立させることができ、かつ、構成部品を可能なる限り少なくし、装置形態の小型化と装置コストの低廉化とを計ることができるギアシフト用表示装置を提案する。【解決手段】パネル３０のポジション文字３４、３５に相対させた複数の分割室４１〜４５からなる第１室４０と、この第１室４０に隣接させ、かつ、前記分割室４１〜４５との間に導光孔を形成した第２室とを設けたケース３８と、前記第１室４０の分割室毎に設けて前記ポジション文字３４、３５各々を選択的に照明する複数の第１光源と、前記第２室に設けて照明光を前記導光孔から各分割室に伝達してシフト表示部（ポジション文字３４、３５）３３の全体を照明する第２光源とを備えた装置本体３１を設けた構成してある。  【選択図】  図１
2009046002.tif 000002
【特許請求の範囲】
【請求項１】
シフト位置を示す複数のポジション文字を有する表示部と、この表示部を照明する光源とをシフトパネルに備え、選択されたシフトポジションを光学的に表示させるギアシフト用表示装置において、
各々のポジション文字に相対させた複数の分割室からなる第１室と、この第１室に隣接させ、かつ、前記分割室との間に導光孔を形成した第２室とを設けたケースと、
前記第１室の分割室毎に設けて前記ポジション文字各々を選択されたシフトポジションにしたがって照明する複数の第１光源と、前記第２室に設けて照明光を前記導光孔から各分割室に伝達して前記複数のポジション文字の全体を照明する第２光源と、
を備えて構成したことを特徴とするギアシフト用表示装置。
【請求項２】
請求項１に記載したギアシフト用表示装置において、
第１室の各分割室には、導光孔から伝達される第２光源の照明光を前記表示部に向かって反射する反射面を設けたことを特徴とするギアシフト用表示装置。
【請求項３】
請求項１又は２に記載したギアシフト用表示装置において、
第１光源は指向性の高い光源とし、第２の光源は輝度の高い光源とし、かつ、これら第１、第２光源は互いに発光色の異なる光源としたことを特徴とするギアシフト用表示装置。
【請求項４】
請求項１乃至３のいずれかに記載したギアシフト用表示装置において、
第２室には、第２光源の光を乱反射させる突形部を設けたことを特徴とするギアシフト用表示装置。
【発明の詳細な説明】
【技術分野】
【０００１】
本発明は、車輌に備えるギアシフト用表示装置に関し、特に、表示部を光学的に表示する照明機構付きのギアシフト用表示装置に関する。
【背景技術】
【０００２】
車輌のギアシフト位置を示すギアシフト用表示装置として照明機構を備えたものが公知となっている。
図１４はこの種のギアシフト用表示装置の一例を示す概略断面図で、装置ケース１１には、図１５に示すシフト位置１２（P、R、N、Ｄ、２、Lを含む表示位置）に対応させた複数の個室１３が設けられ、そして、これら各個室１３の底部にはシフトポジション表示用のランプ１４が、個室１３外にはアンバー色（琥珀色）に発光する一般照明用のランプ１５が各々配設されている。
【０００３】
また、個室１３の上部には導光板１６が配設され、この導光板１６の下面に緑色のレンズ１７が、その上面部分にシボ加工部が各々設けられ、さらに、上記導光板１６の上面には文字板１８が配設されている。
この文字板１８は、透光性板１９の表面に施したポジション文字（P、R、N、Ｄ、２、L）２０以外の部分の不透明性印刷２１と、その裏面に設けた透光性の白色印刷２２とから形成されている。
【０００４】
このように構成されたギアシフト用表示装置は、一般照明用のランプ１５を点灯させると、このランプ１５の点灯光が導光板１６を伝播してポジション文字２０を照明するため、一般照明を行う夜間などでは、ポジション文字２０の全てがアンバー色で表示される。
また、選択されたギアシフト位置にしたがってランプ１４が点灯すると、ランプ１４の点灯光がレンズ１７を伝播して照明されるため、シフト位置に対応する１つのポジション文字２０が緑色で表示される。
【０００５】
【特許文献１】特許第３４７８９３７号公報
【発明の開示】
【発明が解決しようとする課題】
【０００６】
上記したギアシフト用表示装置は、各個室１３の上部に導光板１６を設け、この導光板の上下にレンズ１７と文字板１８とを備え、さらに、個室１３の内外にランプ１４、１５を配設して構成されるため、装置形態が大型化し広い組込スペースが必要となる他、導光板１６の設計が難しく高価なものとなる上、部品点数も多いことから装置コストが高くなる。
【０００７】
また、選択されたシフト位置に対応するポジション文字２０の表示が、導光板１６を伝播するランプ１５の一般照明光に影響されることから、ポジション文字２０の選択照明と夜間照明との両立が充分でない場合が生じる。
【０００８】
本発明は、上記した実情にかんがみ、ポジション文字の選択照明とこのシフト表示部の夜間照明とを確実に両立させることができ、かつ、構成部品を可能なる限り少なくし、装置形態の小型化と装置コストの低廉化とを計ることができるギアシフト用表示装置を提供することを目的とする。
【課題を解決するための手段】
【０００９】
上記した目的を達成するため、本発明では、第１の発明として、シフト位置を示す複数のポジション文字を有する表示部と、この表示部を照明する光源とをシフトパネルに備え、選択されたシフトポジションを光学的に表示させるギアシフト用表示装置において、各々のポジション文字に相対させた複数の分割室からなる第１室と、この第１室に隣接させ、かつ、前記分割室との間に導光孔を形成した第２室とを設けたケースと、前記第１室の分割室毎に設けて前記ポジション文字各々を選択されたシフトポジションにしたがって照明する複数の第１光源と、前記第２室に設けて照明光を前記導光孔から各分割室に伝達して前記複数のポジション文字の全体を照明する第２光源と、を備えて構成したことを特徴とするギアシフト用表示装置を提案する。
【００１０】
第２発明としては、上記した第１の発明のギアシフト用表示装置において、第１室の各分割室には、導光孔から伝達される第２光源の照明光を前記表示部に向かって反射する反射面を設けたことを特徴とするギアシフト用表示装置を提案する。
【００１１】
第３の発明としては、上記した第１又は第２の発明のギアシフト用表示装置において、第１光源は指向性の高い光源とし、第２の光源は輝度の高い光源とし、かつ、これら第１、第２光源は互いに発光色の異なる光源としたことを特徴とするギアシフト用表示装置を提案する。
【００１２】
第４の発明としては、上記した第１乃至３の発明のいずれかのギアシフト用表示装置において、第２室には、第２光源の光を乱反射させる突形部を設けたことを特徴とするギアシフト用表示装置を提案する。
【発明の効果】
【００１３】
第１の発明の表示装置は、各分割室毎に設けた第１光源が、選択されたシフトポジションにしたがってポジション文字を照明する。
また、第２光源の照明光が導光孔を通って各分割室に導かれ、各分割室で反射されて複数のポジション文字の全体を照明する。
【００１４】
したがって、選択されたポジション文字の照明とポジション文字全体の夜間照明とを確実に両立させることができ、さらに、１つの光源を第２光源として備えれば、導光レンズなどを使用しないで複数のポジション文字全体を照明することができるので、構成部品を少なくし、装置形態の小型化と装置コストの低廉化を計ることができる。
【００１５】
第２の発明は、第１室の各分室に反射面を設け、導光孔から入射する第２光源の光を反射させることによって、第２光源の間接光をもって複数ポジション文字の全体を照明する構成としてある。
【００１６】
また、第３の発明は、第１光源を指向性の高い光源とすることで、光が他の分割室に漏れることを防止する他、第２光源を輝度の高い光源とすることにより、ポジション文字全体を効果的に照明する構成とし、さらに、この第３の発明では、第１、第２光源を異なる発光色の光源とし、シフト表示部が第２光源によって照明されているときでも、第１光源によって照明されたポジション文字が鮮明に判別できるようになっている。
【００１７】
第４の発明は、第２光源の光を乱反射させる突形部を第２室に設け、第２光源の光を広い範囲で均一化させることによって、複数ポジション文字全体を均一に照明する構成となっている。
【発明を実施するための最良の形態】
【００１８】
次に、本発明の一実施形態について図面に沿って説明する。
図１は、車輌に搭載される通常のオートマティック・トランスミッシヨンのギアシフト部に備えられたパネル３０と、このトランスミッシヨンのギアシフト用表示装置の装置本体３１とを示す斜視図、図２はギアシフト用表示装置の装置本体３１をネジ止めによりパネル３０に取り付けた状態を示す断面図である。
【００１９】
これらの図面に示すように、パネル３０にはシフトレバー（図示省略）を突出させる孔部３２の側近部にシフト表示部３３が設けてある。
このシフト表示部３３には、シフトポジションを示す、Ｐ（パーキング）、Ｒ（リバース）、Ｎ（ニュートラル）、Ｄ（ドライブ）のポジション文字３４と、マニュアルでギアシフトをＵＰ/ＤＯＷＮ操作する「＋・−」のポジション文字３５とが設けられている。
【００２０】
上記のシフト表示部３３は、ポジション文字３４、３５を白色印刷したシート３６をパネル３０にインサート成型して構成したもので、上記した装置本体３１とでギアシフト用表示装置を構成している。
すなわち、図３に示した如く、透明なシート３６にポジション文字３４を白色印刷して透光可能とし、また、ポジション文字周囲を黒色印刷３６ａとして不透光としてある。
上記したシート３６は透光性の合成樹脂材などで構成することができる。
なお、ポジション文字３５についても同様に形成してある。
【００２１】
装置本体３１は、図２により分かるように、後述する第１、第２光源を設けたプリント基板３７をケース３８内に収納し、プリント基板３７の背面側からカバー３９をケース３８に固着させた構成となっている。
なお、ケース３８とカバー３９は合成樹脂材で形成してあり、また、カバー３９は、それに設けた係止爪をケース３８の係止孔に係止させて固着してある。
【００２２】
続いて、装置本体３１について詳細に説明する。
図４は装置本体３１の斜視図、図５は装置本体３１の正面図、図６は装置本体３１の一部切欠き正面図、図７は図５上のＡ−Ａ線断面図、図８は図５上のＢ−Ｂ線断面図、図９は図５上のＣ−Ｃ線断面図、図１０は図５上のＤ−Ｄ線断面図である。
【００２３】
これらの図面に示した如く、この装置本体３１のケース３８には、正面側に開口を有する第１室４０と、正面側に開口を持たない第２室（図６、図９、図１０参照）４６とが設けてある。
そして、第１室４０は、仕切り壁で仕切られた５つの分割室４１、４２、４３、４４、４５から形成してある。
【００２４】
なお、これら分割室４１〜４５のうち、分割室４１〜４４はポジション文字（Ｐ、Ｒ、Ｎ、Ｄ）３４の間隔に合わせた配置間隔とし、分割室４５についてはポジション文字「＋・−」３５に合わせ細長形状とし、これら分割室４１〜４５をポジション文字３４、３５の配置位置に対応させるようにしてある。
また、第２室４６は上記した第１室４０に隣接させた１つの部屋から形成してある。
【００２５】
さらに、上記した分割室４１〜４５の壁面には、第２室４６と連通させた導光孔４１ａ、４２ａ、４３ａ、４４ａ、４５ａを形成すると共に、これら各分割室４１〜４５の内面側には、上記の導光孔４１ａ〜４５ａを通って入射する光を装置本体３１の正面側に反射させるテーパー面４１ｂ、４２ｂ、４３ｂ、４４ｂ、４５ｂが設けてある。
【００２６】
一方、プリント基板３７には、第１光源として６つのＬＥＤ（発光ダイオード）、５１、５２、５３、５４、５５、５６と、第２光源として１つのＬＥＤ（発光ダイオード）５７が設けてある。
ＬＥＤ５１〜５６としては、指向性が高くアンバー色（琥珀色）に発光するものを使用し、ＬＥＤ５１〜５４を分割室４１〜４４の奥部の位置に、ＬＥＤ５５、５６が分割室４５の奥部の位置に各々配設してある。
【００２７】
第１光源としてのＬＥＤ５１〜５６は、ギアシフトの選択操作にしたがって点灯し、シフト位置がポジション文字「Ｐ」となるときはＬＥＤ５１が点灯し、ポジション文字「Ｒ」となるときはＬＥＤ５２が点灯し、以下同様にシフト位置にしたがってＬＥＤ５３、５４が点灯するようになっている。
また、ＬＥＤ５５、５６は、ギアシフトをマニュアル操作するときに点灯させるものである。
なお、ＬＥＤ５５、５６はいずれか１個を設けるようにすることもできる。
【００２８】
また、第２光源としてのＬＥＤ５７については、輝度の高い白色発光のものを使用し、これは第２室４６内の奥部の位置に配設してある。
このＬＥＤ５７は、ギアシフトの選択操作に関係なく、夜間照明として点灯させるようになっており、このＬＥＤ５７の点灯によりシフト表示部（複数のポジション文字３４、３５の全体）３３を照明する。
【００２９】
このように構成した装置本体３１は、図２に示すように、パネル３０の一側裏面にネジ止めして取付けギアシフト用表示装置を構成する。
なお、このように取付ける場合、分割室４１を文字「Ｐ」に、分割室４２を文字「Ｒ」に、分割室４３を文字「Ｎ」に、分割室４４を文字「Ｄ」に、分割室４５を文字「＋・−」に各々位置合わせしてある。
上記したギアシフト用表示装置は、ギアシフトの選択操作にしたがうシフト位置に対応したＬＥＤが点灯し、ポジション文字Ｐ、Ｒ、Ｎ、Ｄの何れか一つと、マニュアル操作されたときのポジション文字「＋・−」がアンバー色に表示される。
【００３０】
また、夜間にはＬＥＤ５７が点灯することから、図６に矢示する如く、このＬＥＤ５７の光が各々の導光孔４１ａ〜４５ａを通って各分割室４１〜４５内に入射する。
したがって、各分割室４１〜４５に入射したＬＥＤ５７の光がテーパー面４１ｂ〜４５ｂで反射して装置本体３１の正面側に向かうため、シフト表示部３３（ポジション文字３４、３５）が白色光によって照明される。
つまり、ＬＥＤ５７の光は、シフト表示部３３を直接照射せず、テーパー面４１ｂ〜４５ｂで反射した光がシフト表示部３３を間接照明する。
【００３１】
具体的には、ポジション文字Ｐに対応する分割室４１では、図４〜図７、図９に示す如く、第２室４６のＬＥＤ５７の光が導光孔４１ａを通って入射し、テーパー面４１ｂで反射してシフト表示部３３へ導かれる。
そして、ＬＥＤ５７の光がシフト表示部３３を直接照射しないように、遮蔽壁４１ｃで遮られる。
【００３２】
ポジション文字Ｒに対応する分割室４２も同様に、図５〜図８に示す如く、第２室４６のＬＥＤ５７の光が導光孔４２ａを通って入射し、テーパー面４２ｂで反射してシフト表示部３３へ導かれる。
そして、ＬＥＤ５７の光がシフト表示部３３を直接照射しないように、遮蔽壁４２ｃで遮られる。
【００３３】
ポジション文字Ｎに対応する分割室４３についても同様に、図５〜図７に示す如く、第２室４６のＬＥＤ５７の光が導光孔４３ａを通って入射し、テーパー面４３ｂで反射してシフト表示部３３へ導かれる。
そして、ＬＥＤ５７の光がシフト表示部３３を直接照射しないように、遮蔽壁４３ｃで遮られる。
【００３４】
ポジション文字Ｄに対応する分割室４４についても同様に、図５〜図７に示す如く、第２室４６のＬＥＤ５７の光が導光孔４４ａを通って入射し、テーパー面４４ｂで反射してシフト表示部３３へ導かれる。
そして、ＬＥＤ５７の光がシフト表示部３３を直接照射しないように、遮蔽壁４４ｃで遮られる。
【００３５】
ポジション文字「＋・−」に対応する分割室４５についても同様に、図４〜図６に示す如く、第２室４６のＬＥＤ５７の光が導光孔４５ａを通って入射し、テーパー面４５ｂで反射してシフト表示部３３へ導かれる。
そして、ＬＥＤ５７の光がシフト表示部３３を直接照射しないように、遮蔽壁４５ｃで遮られる。
【００３６】
他方、本実施形態では、遮蔽壁４１ｃ〜４５ｃによって一つの分割室内のＬＥＤの光が他の分割室に入り込まないようにする役割を兼ねている。
すなわち、図１１に示す如く、分割室４２の導光孔４２ａの上部には少し引き下げた遮蔽壁４２ｃを設け、ＬＥＤ５２の光をこの遮蔽壁４２ｃで反射させ、導光孔４２ａから第２室４６に入る光を防止している。
なお、図１１は図８の一部を拡大して示した拡大部分図である。
【００３７】
つまり、この遮蔽壁４２ｃは、導光孔４２ａから第２室４６に入り、続いて他の分割室に入射するＬＥＤ５２の光を遮蔽するものであり、本実施形態では、他の分割室４１、４３〜４５についても同様の遮蔽壁が設けてある。
すなわち、図１３に示すように各分割室４１〜４５の各部所には上記した遮蔽壁４１ｃ〜４５ｃが設けてある。
なお、図１３はカバー３９とプリント基板３７とを取り外して示したケース３８の背面図である。
【００３８】
さらに、本実施形態では、図１２に示す如く、第２室４６の内壁には、室内に向かって突出させた２等辺３角形状の突形部４６ａを設け、この突形部４６ａによって第２光源としてのＬＥＤ５７の光を乱反射させる構成としてある。
すなわち、ＬＥＤ５７の光を乱反射させ、導光孔から各分割室に入射する光を均一化させることで、シフト表示部３３の全面を均一な光で間接照明するようになっている。
【００３９】
また、本実施形態では、図１２に示してあるように、分割室４５内にはテーパー面を有する光量調整部４５ｄを設けてポジション文字「＋・−」に部分的に強く当たるＬＥＤ５５、５６の重なる箇所の光を遮り、均一な光で照明されるようになっている。
また、この光量調整部４５ｄは、第２室４６のＬＥＤ５７の光の一部を、図示する如く反射させ、シフト表示部３３を均一な光で照射する役割を兼ねている。
【００４０】
以上、好ましい実施形態について説明したが、第１光源であるＬＥＤ５１〜５６の発光色や第２光源としてのＬＥＤ５７の発光色については各種の発光色のものを使用することがでる。
【産業上の利用可能性】
【００４１】
自動車などの車輌に備えるギアシフトの表示装置に適用することができる。
【図面の簡単な説明】
【００４２】
【図１】車輌に搭載される通常のオートマティック・トランスミッシヨンのギアシフト部に備えられたパネルと、このトランスミッシヨンのギアシフト用表示装置の装置本体とを示す斜視図である。
【図２】上記した装置本体をネジ止めによりパネルに取り付けた状態を示す断面図である。
【図３】上記したギアシフト用表示装置のシフト表示部を示す部分的な拡大断面図である。
【図４】上記した装置本体の斜視図である。
【図５】上記した装置本体の正面図である。
【図６】上記した装置本体の一部切欠き正面図である。
【図７】図５上のＡ−Ａ線断面図である。
【図８】図５上のＢ−Ｂ線断面図である。
【図９】図５上のＣ−Ｃ線断面図である。
【図１０】図５上のＤ−Ｄ線断面図である。
【図１１】図８の一部を拡大して示した拡大部分図である。
【図１２】図１０の一部を拡大して示した拡大部分図である。
【図１３】カバーとプリント基板とを取り外して示した上記装置本体の背面図である。
【図１４】従来例として示したギアシフト用表示装置の簡略的な断面図である。
【図１５】上記従来例のギアシフト位置を示した図である。
【符号の説明】
【００４３】
３０  パネル
３１  装置本体
３３  シフト表示部
３４、３５  ポジション文字
３６  シート
３７  プリント基板
３８  ケース
３９  カバー
４０  第１室
４１〜４５  分割室
４１ａ〜４５ａ  導光孔
４１ｂ〜４５ｂ  テーパー面
４６  第２室
５１〜５７  ＬＥＤ
【図１】
2009046002.tif 000003
【図２】
2009046002.tif 000004
【図３】
2009046002.tif 000005
【図４】
2009046002.tif 000006
【図５】
2009046002.tif 000007
【図６】
2009046002.tif 000008
【図７】
2009046002.tif 000009
【図８】
2009046002.tif 000010
【図９】
2009046002.tif 000011
【図１０】
2009046002.tif 000012
【図１１】
2009046002.tif 000013
【図１２】
2009046002.tif 000014
【図１３】
2009046002.tif 000015
【図１４】
2009046002.tif 000016
【図１５】
2009046002.tif 000017